(57)【要約】      （修正有）【課題】特に少ない間隔スペースで多くの電動工具等をワンタッチで掛け易く取り易く、且つ掛けた際にその種類が一見で判断可能に斜めに陳列或いは整理整頓掛けができるハンガーを提供する。【解決手段】横梁レール１００に移動可能に跨る複数の跨り部材２００と、跨り部材の前部にフック３００を装着し、跨り部材の前部と側部との間に電動工具のチャック又はチャックに支持した回転加工軸部或いは回転加工先部を保持する保持アーム４００を水平に突起装着し、保持アームは、電動工具のチャックに挿入して電動工具を保持する外周面形状に形成するか、或いはアーム軸心部に電動工具のチャックに支持した回転加工軸部或いは回転加工先部を挿入して電動工具を保持する挿入穴４０１を形成する。【選択図】図１
0003191578.tif 000002
【実用新案登録請求の範囲】
【請求項１】
横梁レールに移動可能に跨る複数の跨り部材と、前記跨り部材の前部にフックを装着し、前記跨部材の前部と側部との間に電動工具のチャック又はチャックに支持した回転加工軸部或いはその先の回転加工先部を保持する保持アームを略水平に突起装着したことを特徴とするハンガー。
【請求項２】
前記保持アームは、電動工具のチャックに挿入して電動工具を保持する外周面形状に形成するか、或いはアーム軸心部に電動工具のチャックに支持した回転加工軸部或いは回転加工先部を挿入して電動工具を保持する挿入穴を形成したことを特徴とする請求項１に記載のハンガー。
【考案の詳細な説明】
【技術分野】
【０００１】  本考案は、特に小さい間隔で多数の電動工具類をワンタッチで効率よく安全確実に掛け外し可能に支持配置するハンガーに関するものである。
【背景技術】
【０００２】  特に電動ドリル等の工具を陳列或いは整理のために使用するハンガーは、一般にＵ型のフックを壁や、フェンスなどに連結したものであり、当該フックに電動ドリルに付設したリングを掛けて吊り下げるものが多い。
このため吊り下げられた電動ドリルは全体が壁やフェンスに凭れさせ、コードは畳んでも下に垂れ下がっており全体として広いスペースを占有し、しかも配列状態がまちまちで種類の区別の判別がし難いもので整然とした商品陳列或いは工具配置とはとても言えない。
これは加工工場、修理工場などにおいての電動工具の整理においても同じように、種類別の整理整頓と安全性から見てもとても好ましい配置にはならない。
【考案の概要】
【考案が解決しようとする課題】
【０００３】本考案は、特に多くの電動工具等を小さい間隔スペースにおいて、ワンタッチで掛け易く取り易く、且つ掛けた際にその種類が一見で判断可能に陳列或いは整理整頓掛けができるハンガーを提供する。
【課題を解決するための手段】
【０００４】上記課題を満足させる本考案の基本的な技術構成は、次の（１）〜（２）の通りである。
（１）、横梁レールに移動可能に跨る複数の跨り部材と、前記跨り部材の前部にフックを装着し、前記跨部材の前部と側部との間に電動工具のチャック又はチャックに支持した回転加工軸部或いはその先の回転加工先部を保持する保持アームを水平に突起装着したことを特徴とするハンガー。
（２）、前記保持アームは、電動工具のチャックに挿入して電動工具を保持する外周面形状に形成するか、或いはアーム軸心部に電動工具のチャックに支持した回転加工軸部或いは回転加工先部を挿入して電動工具を保持する挿入穴を形成したことを特徴とする前記（１）に記載のハンガー。
【考案の効果】
【０００５】  本考案のハンガーは、特に電動工具の本体とコードを、一つの跨り部材のフックと保持アームにワンタッチで掛けて、横斜め向きに確実に安全保持する。
この横斜め向き掛けは、電動工具の種類が一見で判別可能であり且つワンタッチで掛けやすく取り易い。更に小さい間隔スペースで複数の跨り部材を配置して多くの電動工具を干渉なく見やすく美麗に陳列或いは整理整頓掛けができる等々の多くの優れた効果を呈するものである。
また電動工具の種類に応じた、多種仕様の横梁レールと、フックに保持アームを備えた跨り部材を用意しておけば簡単に横梁レールに跨がせて対応可能である。
したがって、本考案のハンガーは、各種サイズの横梁レールとそれらに対応する跨り部材をパーツで製造して適宜に組み合わせて構成して使用することが任意に可能である利便性を兼ね備えている。
【図面の簡単な説明】
【０００６】
【図１】本考案の実施例のハンガーの正面説明図である。
【図２】図１の平面説明図である。
【図３】本考案の実施例のハンガーの一部断面の側面説明図であり、蓄電式や給電式の電動ドリル５００を掛ける過程を示す説明図である。
【図４】本考案の実施例のハンガーの実装モデルを斜め下側から見た鳥瞰図である。
【図５】本考案の実施例のハンガーの実装モデルを店内の陳列格子フェンス（図示せず）に取り付けて各種の電動ドリル（充電式電動ドリルや給電式電動ドリル）を掛けて配列した状態を示す説明図である。
【考案の実施形態】
【０００７】本考案の実施形態を図１〜図５に示す実施例により詳細に説明する。
【実施例】
【０００８】  本考案の実施例を図１〜図５と共に説明する。
本例のハンガーは、図１と図２に示す如く略水平上にした横梁レール１００にその長手方向に摺動移動可能に跨る複数の跨り部材２００と、前記跨り部材２００の前部にフック３００を装着し、前記跨り部材２００の前部と側部との間に保持アーム４００を突起装着してなる。【０００９】  横梁レール１００は、横断面矩形の角筒レールであるがこの形状に限定されなく跨り部材２００を長さ方向にスライドガイド可能なパイプや丸棒、角棒、チャンネル、アングル、横断面がコの字・Ｉ型・Ｈ型・などの形状の金属製、硬質樹脂製等であればよい。【００１０】  跨り部材２００は、金属製、硬質樹脂製等で形状は限定しないが例えば加工し易い短パイプにして下部に横梁レール１００を上方から跨るΠ型の跨り部１０１を切り欠き形成し、横梁レール１００に対する長手方向の跨り位置を任意に固定と解除をするボルト１０２あるいは適宜なクリップを設けてある。【００１１】  フック３００は、金属製、硬質樹脂製等で主に電動工具（５００）のコード５０１等を掛けるＵ字型や逆Π型等のフックでその基部にネジ部３０１を形成して跨り部材２００の前部の上壁に調節可能に螺合する。【００１２】  保持アーム４００は、金属製、硬質樹脂製等で図５の例及び図２の左半分に示す如く電動工具５００のチャック５０１に挿入して電動工具５００を保持する外周面形状４０２を形成してあり、本例は電動工具のチャック５０１が把持する回転加工部５０４の形状にあわせた六角面４０２にし、電動ドリル５００のチャック５０１に挿入してそのまま或いはチャック５０１を締めて支持する。【００１３】  また本例の保持アーム４００は、図２の右半分に示す如くアーム軸心部に電動工具のチャック５０１で支持した回転加工軸部５０４又は回転加工軸部５０４の先の回転加工先部５０３を挿入可能な内周面形状の挿入穴４０１を形成しこの挿入穴４０１に回転加工軸部５０４またはその先の回転加工先部５０３を挿入して電動工具を保持することができる所謂チャック５０１への保持アーム４００挿入支持と、保持アーム４００への回転加工軸部５０４又は回転加工先部５０３の挿入保持が兼用できる保持アーム４００である。
前記回転加工先部５０３は、例えば加工具であるドリル又はドライバー等である。
また保持アーム４００の基部はネジ部（図示せず）を形成して跨り部材２００の前部と側部の間の上壁に直角に螺合して調節或いは交換可能にしてある。
前記電動工具５００は、例えば電動ドリル又は電動ドライバーである。【００１４】  以上の構成により、本例のハンガーは、保持アーム４００で、例えば電動工具５００のチャック５０１をまたは回転加工軸部５０４或いは回転加工先部５０３をワンタッチ動作で挿入係合保持し、電動ドリル５００を横梁レール１００に対向して右斜めのハンディ状態にする。つまり右手を差し出すのみで電動工具５００を保持し、また電動工具５００のグリップを握持して斜め手前に引くワンタッチ動作で保持アーム４００から電動工具５００を取り外すことができるのである。【００１５】  尚本考案のハンガーは、電動工具として、電動ドリル５００や電動ドライバーに限らず、二つ跨り部材２００を近接配置して例えば電動カッターの回転加工先部かチャックを一つのフック３００に掛け本体のグリップ部をもう一つのフック３００に掛けて保持する等、跨り部材２００の適宜な隣接配置によりフック３００と保持アーム４００を利用して、その他多くの電動工具のワンタッチ保持にも利用が可能である。
【産業上の利用可能性】
【００１６】  本考案のハンガーは安価で堅牢簡単なシンプル構造により、前記したように、跨り部材２００の適宜な配置により、小スペースに多くの各種電動工具等をワンタッチで掛け易く取り易く且つ掛けた際にその種類が一見で判断可能に陳列掛けし、或いは整理整頓掛けができる優れた作用効果を呈するものである。このため、電動工具例えば電動ドライバー、電動ドリル、電動カッター等の販売店における陳列展示販売や、各種製作所における電動ドライバー、電動ドリル、電動カッター等電動工具の整理整頓ハンガーに適用できそれらを用いた作業効率の高位確保と安全性の確保に貢献すること多大なものがある。
【符号の説明】
【００１７】  １００：横梁レール
１０１：Π型の跨り部
１０２：固定するボルト
２００：跨り部材
３００：フック
３０１：ネジ部
４００：保持アーム
４０１：挿入穴
４０２：六角面
５００：電動ドリル
５０１：チヤック
５０２：コード
５０３：回転加工先部
５０４：回転加工軸部
【図１】
0003191578.tif 000003
【図２】
0003191578.tif 000004
【図３】
0003191578.tif 000005
【図４】
0003191578.tif 000006
【図５】
0003191578.tif 000007
【手続補正書】
【提出日】平成26年4月12日(2014.4.12)
【手続補正１】
【補正対象書類名】図面
【補正対象項目名】図５
【補正方法】変更
【補正の内容】
【図５】
0003191578.tif 000008